(57)【要約】【課題】本発明は、一部の光源が点灯不能である状況下でも、点灯不能の光源に割り当てられていた情報が表示され、かつ、点灯可能な光源の映像の色合いを損ねず表示可能な表示装置および表示方法を提供する。【解決手段】本発明は、少なくとも１つの光源が点灯不能である場合に、予備映像データに基づいて点灯可能な各光源で映像を表示させ、点灯可能な１の光源の予備映像データにおける点灯可能な他の光源の映像データの演算係数として、他の光源の予備映像データにおける他の光源の映像データの演算係数よりも小さい値を抽出する。【選択図】図３
2014219578.tif 000002
【特許請求の範囲】
【請求項１】
入力映像信号から、複数の光源にそれぞれ割り当てられる複数の映像データを取得する映像データ取得手段と、
各前記映像データに対応する演算係数をそれぞれ複数種格納する演算係数格納手段と、
前記演算係数格納手段から抽出した、各前記映像データに対応する前記演算係数と、当該前記演算係数に対応する前記映像データとを用いて演算し、各前記光源に対応する予備映像データを生成する演算手段と、
複数の前記光源のうちの少なくとも１つが点灯不能である場合に、前記予備映像データに基づいて、対応する点灯可能な各前記光源からの出射光を制御し、当該出射光を用いた映像を表示させる制御手段とを備え、
各前記光源に対応する前記予備映像データが、複数の前記映像データそれぞれに、対応する前記演算係数を乗算し、さらにその総和をとった値に対応し、
前記演算手段が、前記点灯可能な１の前記光源に対応する前記予備映像データにおける、前記点灯可能な他の前記光源に対応する前記映像データの前記演算係数として、前記点灯可能な他の前記光源に対応する前記予備映像データにおける、前記点灯可能な他の前記光源に対応する前記映像データの前記演算係数よりも小さい値の前記演算係数を、前記演算係数格納手段から抽出することを特徴とする、
表示装置。
【請求項２】
前記演算手段が、前記点灯可能な１の前記光源に対応する前記予備映像データにおける、前記点灯可能な他の前記光源に対応する前記映像データの前記演算係数として、前記演算係数格納手段から０を抽出することを特徴とする、
請求項１に記載の表示装置。
【請求項３】
複数の前記光源の点灯状態を検出する検出手段をさらに備え、
前記制御手段が、前記検出手段における検出結果に基づいて前記点灯可能な各前記光源からの出射光を制御し、当該出射光を用いた映像を表示させることを特徴とする、
請求項１または２に記載の表示装置。
【請求項４】
（ａ）入力映像信号から、複数の光源にそれぞれ割り当てられる複数の映像データを取得する工程と、
（ｂ）各前記映像データに対応する演算係数をそれぞれ複数種、演算係数格納手段にあらかじめ格納する工程と、
（ｃ）前記演算係数格納手段から抽出した、各前記映像データに対応する前記演算係数と、当該前記演算係数に対応する前記映像データとを用いて演算し、各前記光源に対応する予備映像データを生成する工程と、
（ｄ）複数の前記光源のうちの少なくとも１つが点灯不能である場合に、前記予備映像データに基づいて、対応する点灯可能な各前記光源からの出射光を制御し、当該出射光を用いた映像を表示させる工程とを備え、
各前記光源に対応する前記予備映像データが、複数の前記映像データそれぞれに、対応する前記演算係数を乗算し、さらにその総和をとった値に対応し、
前記工程（ｃ）が、前記点灯可能な１の前記光源に対応する前記予備映像データにおける、前記点灯可能な他の前記光源に対応する前記映像データの前記演算係数として、前記点灯可能な他の前記光源に対応する前記予備映像データにおける、前記点灯可能な他の前記光源に対応する前記映像データの前記演算係数よりも小さい値の前記演算係数を、前記演算係数格納手段から抽出する工程であることを特徴とする、
表示方法。
【発明の詳細な説明】
【技術分野】
【０００１】
本発明は、表示装置および表示方法に関するものである。
【背景技術】
【０００２】
近年、投写型表示装置において光源として発光ダイオード（ＬＥＤ）を用いることが提案されている。特にＤＭＤ（Ｄｉｇｉｔａｌ−Ｍｉｃｒｏｍｉｒｒｏｒ−Ｄｅｖｉｃｅ）を用いたＤＬＰ（Ｄｉｇｉｔａｌ−Ｌｉｇｈｔ−Ｐｒｏｃｅｓｓｉｎｇ。登録商標）方式の表示装置では、赤色光を発光するＬＥＤ（以下、Ｒ−ＬＥＤとも称する）と、緑色光を発光するＬＥＤ（以下、Ｇ−ＬＥＤとも称する）と、青色光を発光するＬＥＤ（以下、Ｂ−ＬＥＤとも称する）とを用い、これら３色のＬＥＤを時系列に点灯させている（特許文献１〜３参照）。このような投射型表示装置では、光源の発光色ごとに、光源の駆動回路が設けられている。より具体的には、Ｒ−ＬＥＤ用の定電流回路、Ｇ−ＬＥＤ用の定電流回路、Ｂ−ＬＥＤ用の定電流回路という、ＬＥＤの発光色に対応して３つの定電流回路が設けられている。
【０００３】
上記表示装置では、入力映像信号は各色のデジタルデータ、すなわち赤色データ（以下、Ｒデータとも称する）と、緑色データ（以下、Ｇデータとも称する）と、青色データ（以下、Ｂデータとも称する）とに変換され、これらの各色データに従ってＤＭＤが駆動されることによって３色の光に強度変調が施される。すなわち、Ｒデータに従って赤色光が強度変調され、Ｇデータに従って緑色光が強度変調され、Ｂデータに従って青色光が強度変調される。強度変調された３色の光は投写レンズを通じてスクリーン等に投写され、これにより映像が表示される。
【先行技術文献】
【特許文献】
【０００４】
【特許文献１】特開２００５−３３１７０５号公報
【特許文献２】特許第５０５５７６０号公報
【特許文献３】国際公開第２０１２／０３２８８７号
【発明の概要】
【発明が解決しようとする課題】
【０００５】
上記表示装置において、例えば定電流回路の故障等によりＲ−ＬＥＤが点灯不能になった場合、Ｒデータによって表現されるべき情報が表示上、完全に欠落してしまう。このため、重要な情報が表示できなくなるという問題が発生しうる。
【０００６】
なお、他の色が点灯不能になる事態や、２色が点灯不能になる事態等も考えられる。また、光源の発光色および発光色数は上記例示の３色に限定されるものではない。また、ＬＥＤ以外の光源を用いた表示装置や、ＤＭＤ以外の光変調手段（例えば液晶パネル）を用いた表示装置においても同様の問題は起こりうる。
【０００７】
本発明は、上記のような問題を解決するためになされたものであり、複数の光源のうち一部の光源が点灯不能である状況下でも、点灯不能の光源に割り当てられていた情報が全く表示されないという事態を回避可能であり、なおかつ、点灯不能となった光源以外の光源色に関する映像の色合いを損ねず表示可能な表示装置および表示方法を提供することを目的とする。
【課題を解決するための手段】
【０００８】
本発明の一態様に関する表示装置は、入力映像信号から、複数の光源にそれぞれ割り当てられる複数の映像データを取得する映像データ取得手段と、各前記映像データに対応する演算係数をそれぞれ複数種格納する演算係数格納手段と、前記演算係数格納手段から抽出した、各前記映像データに対応する前記演算係数と、当該前記演算係数に対応する前記映像データとを用いて演算し、各前記光源に対応する予備映像データを生成する演算手段と、複数の前記光源のうちの少なくとも１つが点灯不能である場合に、前記予備映像データに基づいて、対応する点灯可能な各前記光源からの出射光を制御し、当該出射光を用いた映像を表示させる制御手段とを備え、各前記光源に対応する前記予備映像データが、複数の前記映像データそれぞれに、対応する前記演算係数を乗算し、さらにその総和をとった値に対応し、前記演算手段が、前記点灯可能な１の前記光源に対応する前記予備映像データにおける、前記点灯可能な他の前記光源に対応する前記映像データの前記演算係数として、前記点灯可能な他の前記光源に対応する前記予備映像データにおける、前記点灯可能な他の前記光源に対応する前記映像データの前記演算係数よりも小さい値の前記演算係数を、前記演算係数格納手段から抽出することを特徴とする。
【０００９】
本発明の一態様に関する表示方法は、（ａ）入力映像信号から、複数の光源にそれぞれ割り当てられる複数の映像データを取得する工程と、（ｂ）各前記映像データに対応する演算係数をそれぞれ複数種、演算係数格納手段にあらかじめ格納する工程と、（ｃ）前記演算係数格納手段から抽出した、各前記映像データに対応する前記演算係数と、当該前記演算係数に対応する前記映像データとを用いて演算し、各前記光源に対応する予備映像データを生成する工程と、（ｄ）複数の前記光源のうちの少なくとも１つが点灯不能である場合に、前記予備映像データに基づいて、対応する点灯可能な各前記光源からの出射光を制御し、当該出射光を用いた映像を表示させる工程とを備え、各前記光源に対応する前記予備映像データが、複数の前記映像データそれぞれに、対応する前記演算係数を乗算し、さらにその総和をとった値に対応し、前記工程（ｃ）が、前記点灯可能な１の前記光源に対応する前記予備映像データにおける、前記点灯可能な他の前記光源に対応する前記映像データの前記演算係数として、前記点灯可能な他の前記光源に対応する前記予備映像データにおける、前記点灯可能な他の前記光源に対応する前記映像データの前記演算係数よりも小さい値の前記演算係数を、前記演算係数格納手段から抽出する工程であることを特徴とする。
【発明の効果】
【００１０】
本発明の上記態様によれば、複数の光源のうちの一部の光源が点灯不能である状況下において、点灯不能な光源に割り当てられていた情報が点灯可能な光源に割り当てられ、かつ、点灯可能な光源の、互いの入力映像信号成分が影響し合うことが抑制される。よって、点灯不能の光源に割り当てられていた情報が全く表示されないという事態を回避可能であり、かつ、点灯不能となった光源以外の光源色に関する映像の色合いを損ねずに表示することができる。
【図面の簡単な説明】
【００１１】
【図１】第１実施形態に関する表示装置を例示するブロック図である。
【図２】第１実施形態に関する通常映像データ取得手段を例示するブロック図である。
【図３】第１実施形態に関するデータ演算手段を例示するブロック図である。
【図４】第１実施形態に関する予備映像データ演算を例示するフローチャートである。
【図５】第１実施形態に関する表示装置の動作を例示する図である（通常表示、全ての光源が点灯可能）。
【図６】第１実施形態に関する表示装置の動作を例示する図である（通常表示、赤色の光源が点灯不能）。
【図７】第１実施形態に関する表示装置による表示映像を例示する図である（通常表示、全ての光源が点灯可能）。
【図８】第１実施形態に関する表示装置による表示映像を例示する図である（通常表示、赤色の光源が点灯不能）。
【図９】第１実施形態に関する表示装置の動作を例示する図である（予備表示、赤色の光源が点灯不能）。
【図１０】第１実施形態に関する表示装置による表示映像を例示する図である（予備表示、赤色の光源が点灯不能）。
【図１１】第２実施形態に関する表示装置を例示するブロック図である。
【図１２】第２実施形態に関する表示種別選択を例示するフローチャートである。
【発明を実施するための形態】
【００１２】
＜第１実施形態＞
＜表示装置１の全体構成＞
図１に第１実施形態に関する表示装置１のブロック図を例示する。表示装置１は、いわゆる投写型の表示装置であり、ユーザはスクリーン５０に投写された映像を見ることになる。
【００１３】
一般に、投写型表示装置はフロント型とリア型に大別される。フロント型ではユーザはスクリーン５０の投写面の側から投写映像を見る。フロント型は直視型とも称される。これに対し、リア型ではユーザはスクリーン５０の投写面の反対側から、すなわちスクリーン５０越しに投写映像を見る。なお、スクリーン５０は専用部材の他、例えば室内外の壁面、ガラス面等によって具現可能である。
【００１４】
ここでは表示装置１がフロント型であり、スクリーン５０が表示装置１とは別個の部材として準備される場合を例示するが、これに限定されるものではない。すなわち、表示装置１の構成はリア型にも応用可能である。また、スクリーン５０が表示装置１の一要素を構成する場合もある。
【００１５】
表示装置１は、図１の例では、３つの光源１０Ｒ，１０Ｇ，１０Ｂと、光路合成手段２０と、変調手段３０と、投写手段４０と、制御手段６０と、光源駆動手段７０と、変調駆動手段８０と、データ供給手段９０と、操作手段１００とを含んでいる。なお、図中では例えば「制御手段」を「制御」のように略記している。
【００１６】
光源１０Ｒ，１０Ｇ，１０Ｂはそれぞれが所定の色の光を出射する。ここでは光源１０Ｒ，１０Ｇ，１０Ｂの発光色が互いに異なる場合を例示するが、光源１０Ｒ，１０Ｇ，１０Ｂの発光色が全て同じである場合にも以下の説明は当てはまる。
【００１７】
ここでは光源１０Ｒ，１０Ｇ，１０ＢがＬＥＤである場合を例示する。より具体的には、光源１０Ｒが赤色光を発光するＬＥＤ（以下、Ｒ−ＬＥＤとも称する）であり、光源１０Ｇが緑色光を発光するＬＥＤ（以下、Ｇ−ＬＥＤとも称する）であり、光源１０Ｂが青色光を発光するＬＥＤ（以下、Ｂ−ＬＥＤとも称する）である場合を例示する。なお、以下の説明では、光源１０ＲをＬＥＤ１０ＲまたはＲ−ＬＥＤ１０Ｒと称する場合もあり、光源１０Ｇ，１０Ｂについても同様とする。また、光源１０Ｒ，１０Ｇ，１０ＢはＬＥＤ以外の光源、例えばレーザ等で構成することも可能である。
【００１８】
ＬＥＤ１０Ｒ，１０Ｇ，１０Ｂから出射した出射光１１Ｒ，１１Ｇ，１１Ｂは、光路合成手段２０と、変調手段３０と、投写手段４０とを順次辿って、スクリーン５０の同じ領域上に導かれる。換言すれば、そのような光路を辿るように、ＬＥＤ１０Ｒ，１０Ｇ，１０Ｂと、光路合成手段２０と、変調手段３０と、投写手段４０とが配置されている。なお、当該光路はここで例示しない要素を含んで構成されてもよい。
【００１９】
光路合成手段２０は、ＬＥＤ１０Ｒ，１０Ｇ，１０Ｂの出射光１１Ｒ，１１Ｇ，１１Ｂを同じ方向へ、換言すれば同じ光路に導く。光路合成手段２０としてここではダイクロイックミラーを例示し、光路合成手段２０をダイクロイックミラー２０とも称することにする。なお、光路合成手段２０はダイクロイックミラーに限定されるものではない。また、光路合成手段２０を複数の光学部品によって構成してもよい。
【００２０】
変調手段３０は、ＬＥＤ１０Ｒ，１０Ｇ，１０Ｂの出射光１１Ｒ，１１Ｇ，１１Ｂ（ここではダイクロイックミラー２０によって光路が調整された後の出射光１１Ｒ，１１Ｇ，１１Ｂ）に対して、光強度変調（以下、変調とも称する）を施す。光強度変調は変調手段３０の画素単位で行われる。
【００２１】
変調手段３０は、ここでは単一の変調素子によって構成されている。なお、かかる態様に鑑みて、変調手段３０を変調素子３０とも称することにする。単一の変調素子３０はＬＥＤ１０Ｒ，１０Ｇ，１０Ｂで共用され、ＬＥＤ１０Ｒ，１０Ｇ，１０Ｂからの出射光１１Ｒ，１１Ｇ，１１Ｂを時分割（換言すれば時系列）で処理する。
【００２２】
変調素子３０は、例えば液晶パネル、ＤＭＤ（Ｄｉｇｉｔａｌ−Ｍｉｃｒｏｍｉｒｒｏｒ−Ｄｅｖｉｃｅ）等によって具現可能である。これらの変調素子による光強度変調は公知の各種手法によって行われるものとし、ここではその詳述は割愛する。なお、変調素子は一般に透過型と反射型とに大別され、液晶パネルは透過型の一例であり、ＤＭＤは反射型の一例である。図１には透過型の変調素子３０が例示されている。
【００２３】
投写手段４０は、変調手段３０から出力される変調後の変調光３１Ｒ，３１Ｇ，３１Ｂを、典型的には拡大投写する。ここでは投写手段４０は単一の投写素子（投写レンズが例示される）によって構成されている。なお、かかる態様に鑑みて、投写手段４０を投写レンズ４０とも称することにする。投写レンズ４０から投写された変調光３１Ｒ，３１Ｇ，３１Ｂは光路上に位置するスクリーン５０に映像を映し出す。なお、投写素子は複数のレンズ等が組み合わされたレンズユニットであっても構わない。
【００２４】
制御手段６０は、後述の各種処理（制御処理、ユーザ入力取得処理等）を担う。制御手段６０は、例えば、マイクロプロセッサ（ＭＰＵ、ＣＰＵ、マイクロコンピュータとも称される）と、当該マイクロプロセッサがアクセス可能に設けられたメモリとを含んで具現可能である。この例の場合、マイクロプロセッサが、メモリに予め格納されているプログラムに記述された処理ステップ（換言すれば処理手順）を実行することにより、各種処理が行われる。
【００２５】
かかる構成例によれば、マイクロプロセッサによって１つまたは複数の処理ステップに対応する各種機能が実現される。あるいは、マイクロプロセッサが１つまたは複数の処理ステップに対応する各種手段として機能する。
【００２６】
なお、上記マイクロプロセッサは例えばマルチプロセッサまたはマルチコアの構成を採用することも可能である。また、上記メモリは、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、書き換え可能な不揮発性メモリ（ＥＰＲＯＭ（Ｅｒａｓａｂｌｅ  Ｐｒｏｇｒａｍｍａｂｌｅ  ＲＯＭ）等）の１つまたは複数を含んで構成可能である。メモリは、上記のようにプログラムを格納する他に、各種データ等を格納し、また、プログラムを実行するための作業領域を提供する。
【００２７】
かかる構成例によれば制御手段６０による各種処理はソフトウェアによって具現化されるが、かかる各種処理の一部または全部をハードウェアによって実現することも可能である。
【００２８】
光源駆動手段７０は、光源１０Ｒ，１０Ｇ，１０Ｂへ駆動電力を供給し、これにより光源１０Ｒ，１０Ｇ，１０Ｂを駆動する。光源１０Ｒ，１０Ｇ，１０ＢがＬＥＤで構成される例では、光源駆動手段７０として定電流供給源が例示される。また、ここではＬＥＤ１０Ｒ，１０Ｇ，１０Ｂのそれぞれに定電流回路が設けられる構成を例示する。すなわち、Ｒ−ＬＥＤ１０Ｒへ駆動電流を供給するＲ定電流回路７１Ｒと、Ｇ−ＬＥＤ１０Ｇへ駆動電流を供給するＧ定電流回路７１Ｇと、Ｂ−ＬＥＤ１０Ｂへ駆動電流を供給するＢ定電流回路７１Ｂとが設けられている。
【００２９】
Ｒ定電流回路７１Ｒは、データ供給手段９０から垂直同期信号Ｖｓｙｎｃを取得し、制御手段６０から制御信号６１Ｒを取得し、これらの垂直同期信号Ｖｓｙｎｃ，制御信号６１Ｒに基づいて所定のタイミングでＲ−ＬＥＤ７１Ｒを駆動する。同様に、定電流回路７１Ｇ，７１Ｂは、データ供給手段９０から垂直同期信号Ｖｓｙｎｃを取得し、制御手段６０から制御信号６１Ｇ，６１Ｂをそれぞれ取得する。そして、Ｇ定電流回路７１Ｇは取得した垂直同期信号Ｖｓｙｎｃ，制御信号６１Ｇに基づいて所定のタイミングでＧ−ＬＥＤ７１Ｇを駆動し、Ｂ定電流回路７１Ｂは取得した垂直同期信号Ｖｓｙｎｃ，制御信号６１Ｂに基づいて所定のタイミングでＢ−ＬＥＤ７１Ｂを駆動する。なお、ＬＥＤ７１Ｒ，７１Ｇ，７１Ｂの駆動タイミングについては後述する。
【００３０】
変調駆動手段８０は、データ供給手段９０から、Ｒ−ＬＥＤ７１Ｒ，Ｇ−ＬＥＤ７１ＧおよびＢ−ＬＥＤ７１Ｂにそれぞれ割り当てられた映像データＲＤ，ＧＤ，ＢＤを取得し、映像データＲＤ，ＧＤ，ＢＤに基づいて変調素子３０を駆動する。より具体的には、変調駆動手段８０は、映像データＲＤ，ＧＤ，ＢＤと変調素子３０に採用された変調手法とに従って、変調素子３０の各画素に対する駆動電力の供給を制御する。これにより、各画素は採用された変調手法に従った所定状態をとる。
【００３１】
また、変調駆動手段８０は、データ供給手段９０から垂直同期信号Ｖｓｙｎｃを取得し、制御手段６０から制御信号６２を取得し、これらの垂直同期信号Ｖｓｙｎｃ，制御信号６２に基づいて変調素子３０の駆動タイミングを制御する。かかる駆動タイミングについては後述する。
【００３２】
つまり、変調駆動手段８０は、変調素子３０の各画素を所定タイミングで所定状態に駆動する。
【００３３】
なお、変調駆動手段８０は、いわゆる駆動電力供給制御回路として主にハードウェアによって具現可能である。
【００３４】
データ供給手段９０は、変調駆動手段８０へ映像データＲＤ，ＧＤ，ＢＤおよび垂直同期信号Ｖｓｙｎｃを供給する。図１の例では、データ供給手段９０は通常映像データ取得手段１２０と、データ演算手段１４０とを含んでいる。データ供給手段９０については後述する。
【００３５】
操作手段１００は、ユーザと表示装置１とを繋ぐマン・マシン・インターフェースであり、ここでは制御手段６０との間で通信可能に設けられている。これにより、ユーザは操作手段１００を介して制御手段６０へ各種の指示やデータを入力することができる。操作手段１００は、例えば表示装置１に設けられる操作パネルとして具現可能である。あるいは、操作手段１００を例えばリモコンシステムによって具現化しても構わない。
【００３６】
ここでは操作手段１００は表示装置１の一要素として例示するが、操作手段１００として表示装置１とは別個の装置等を利用することも可能である。例えば、表示装置１に接続され表示映像を供給する装置（例えばパーソナルコンピュータ）の操作手段によって、表示装置１を操作するように構成することも可能である。
【００３７】
＜データ供給手段９０の構成＞
データ供給手段９０（図１参照）に関連して、図２に通常映像データ取得手段１２０のブロック図を例示し、図３にデータ演算手段１４０のブロック図を例示する。
【００３８】
＜通常映像データ取得手段１２０の構成＞
通常映像データ取得手段１２０は、通常表示時にＬＥＤ１０Ｒ，１０Ｇ，１０Ｂにそれぞれ割り当てられる映像データＲＰ，ＧＰ，ＢＰを、入力映像信号１１０から取得する。なお、以下では、通常時に用いられる映像データＲＰ，ＧＰ，ＢＰをまとめて通常映像データＤ１と称する場合もある。
【００３９】
通常映像データ取得手段１２０は、図２の例では、配線１２１と、アナログ／デジタル変換器（以下、Ａ／Ｄとも称する）１２２と、画素変換手段１２３とを含んでいる。
【００４０】
配線１２１は、入力映像信号１１０を、表示装置１の内部または外部の映像供給源から、Ａ／Ｄ１２２へ伝達する。入力映像信号１１０として、ここではパーソナルコンピュータのビデオカード等から出力されるアナログＲＧＢ映像信号を例示する。
【００４１】
Ａ／Ｄ１２２は、入力された入力映像信号１１０をデジタルデータＲ０，Ｇ０，Ｂ０に変換する。すなわち、アナログＲＧＢ入力映像信号１１０は、当該入力映像信号１１０によって供給される映像の赤色、緑色および青色の成分に関するデジタルデータＲ０，Ｇ０，Ｂ０に変換される。デジタルデータＲ０，Ｇ０，Ｂ０のそれぞれは、例えば８ビットのデータであり、換言すれば８ビット（２５６段階）の階調データである。
【００４２】
画素変換手段１２３は、Ａ／Ｄ１２２からデジタルデータＲ０，Ｇ０，Ｂ０を取得し、これらのデータＲ０，Ｇ０，Ｂ０に基づいて、表示装置１の出力解像度および出力タイミングに適合したデジタルデータＲＰ，ＧＰ，ＢＰおよび垂直同期信号Ｖｓｙｎｃを生成する。垂直同期信号Ｖｓｙｎｃは、１フレームの映像を表示する際に基準となる信号であり、例えば６０Ｈｚの周波数を有する。
【００４３】
例えば、入力映像信号１１０が１０２４×７６８の画素数および８０Ｈｚの垂直周波数を有し、表示装置１の仕様が画素数１４００×１０５０および垂直周波数６０Ｈｚである場合、画素変換手段１２３によって、解像度１０２４×７６８の映像が１４００×１０５０の解像度に拡大変換されるとともに、出力周波数が６０Ｈｚとなるようにフレームレート変換が行われる。
【００４４】
かかる変換処理の結果、デジタルデータＲＰ，ＧＰ，ＢＰが得られる。変換処理後のデジタルデータＲＰ，ＧＰ，ＢＰは、変換処理前のデジタルデータＲ０，Ｇ０，Ｂ０と同様に赤色、緑色および青色の成分に関するデジタルデータであり、それぞれ例えば８ビットのデータである。
【００４５】
なお、画素変換手段１２３はハードウェア、ソフトウェアまたはそれらの組み合わせによって具現可能である。
【００４６】
映像データＲＰ，ＧＰ，ＢＰ（すなわち通常映像データＤ１）は、データ演算手段１４０へ供給される（図１および図３参照）。垂直同期信号Ｖｓｙｎｃは、データ演算手段１４０と変調駆動手段８０と定電流回路７１Ｒ，７１Ｇ，７１Ｂとへ供給され（図１参照）、例えば動作タイミングの基準信号として利用される。
【００４７】
なお、通常映像データ取得手段１２０は、他のデータや信号、例えばデータ演算手段１４０と変調駆動手段８０とに供給する水平同期信号を出力するように構成してもよい。
【００４８】
また、入力映像信号１１０は、例えばデジタルＲＧＢ映像信号であってもよい。また、入力映像信号１１０は、ＲＧＢ映像信号だけでなく、ビデオコンポジット信号、ＹＣｂＣｒ信号、ＳＤＩ信号等の他のフォーマットの映像信号であってもよい。入力映像信号１１０の種類に応じて、通常映像データ取得手段１２０の構成は適宜変形される。
【００４９】
例えば、入力映像信号１１０が映像データＲＰ，ＧＰ，ＢＰおよび垂直同期信号Ｖｓｙｎｃを含んでいる場合、通常映像データ取得手段１２０は、図２の例に倣えば配線１２１だけで構成され、当該配線１２１によって映像データＲＰ，ＧＰ，ＢＰおよび垂直同期信号Ｖｓｙｎｃを取得することになる。
【００５０】
＜データ演算手段１４０の構成＞
データ演算手段１４０は、図３の例では、演算手段１７０と、演算係数格納手段１６０と、選択手段１８０とを含んでいる。
【００５１】
演算手段１７０は、映像データＲＰに係数α１１を乗算する乗算器１７１Ｒと、映像データＧＰに係数α１２を乗算する乗算器１７１Ｇと、映像データＢＰに係数α１３を乗算する乗算器１７１Ｂと、乗算器１７１Ｒ，１７１Ｇ，１７１Ｂによる乗算結果を加算する加算器１７２とを含んでいる。加算器１７２による加算結果が映像データＲＤである。
【００５２】
同様に、演算手段１７０は、映像データＲＰ，ＧＰ，ＢＰに係数α２１，α２２，α２３をそれぞれ乗算する乗算器１７３Ｒ，１７３Ｇ，１７３Ｂと、乗算器１７３Ｒ，１７３Ｇ，１７３Ｂによる乗算結果を加算する加算器１７４とを含んでいる。加算器１７４による加算結果が映像データＧＤである。
【００５３】
同様に、演算手段１７０は、映像データＲＰ，ＧＰ，ＢＰに係数α３１，α３２，α３３をそれぞれ乗算する乗算器１７５Ｒ，１７５Ｇ，１７５Ｂと、乗算器１７５Ｒ，１７５Ｇ，１７５Ｂによる乗算結果を加算する加算器１７６とを含んでいる。加算器１７６による加算結果が映像データＢＤである。
【００５４】
演算処理後の映像データＲＤ，ＧＤ，ＢＤは次式（１）で表現可能である。
【００５５】
【数１】
2014219578.tif 000003
【００５６】
演算係数格納手段１６０は、ここでは式（１）に使用される係数α１１〜α１３，α２１〜α２３，α３１〜α３３の値を、あらかじめそれぞれ複数種類準備し、それらを記憶している。すなわち演算係数格納手段１６０は、各映像データに対応する演算係数をそれぞれ複数種記憶している。
【００５７】
なお演算係数格納手段１６０は、ここではデータ演算手段１４０の内部に配置されているが、これに限定されるものではない。例えば制御手段６０（図１参照）の内部や、それら以外の部分に配置することも可能である。
【００５８】
また、演算係数格納手段１６０は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、書き換え可能な不揮発性メモリ（ＥＰＲＯＭ（Ｅｒａｓａｂｌｅ  Ｐｒｏｇｒａｍｍａｂｌｅ  ＲＯＭ）等）の１つまたは複数を含んで構成可能であり、該内容はまた、制御手段６０（図１参照）を介して操作手段１００（図１参照）等により容易に変更できるように構成可能である。
【００５９】
選択手段１８０は、制御手段６０（図１参照）からの選択指示信号６３に従って、演算係数格納手段１６０より任意の係数α１１〜α１３，α２１〜α２３，α３１〜α３３を呼び出し、任意の係数の値を演算手段１７０内の乗算器１７１Ｒ，１７１Ｇ，１７１Ｂ，１７３Ｒ，１７３Ｇ，１７３Ｂ，１７５Ｒ，１７５Ｇ，１７５Ｂに設定する。
【００６０】
つまり、演算手段１７０は演算内容が変更可能に構成されている。
【００６１】
ここで例えば、式（１）に対しα１１，α２２，α３３に１を、α１２，α１３，α２１，α２３，α３１，α３２に０をそれぞれ設定すると、式（２）となる。
【００６２】
【数２】
2014219578.tif 000004
【００６３】
すなわち、通常映像データＤ１がそのまま出力される。以下、式（２）の演算処理にて通常映像データＤ１がそのまま映像データＲＰ，ＧＰ，ＢＰとして出力されている状態を通常表示時、通常表示状態等とも称する。
【００６４】
一方、本発明で解決しようとする課題である、複数の光源のうちの一部の光源が点灯不能である状況下において、式（２）以外の係数を選択することにより演算を行い、予備映像データを出力するモードを予備モード、またはより具体的には、予備モード＿ｘと称する。ｘは任意の文字列である。
【００６５】
例えば、図１に示される表示装置１においてＲ−ＬＥＤが不点灯となった場合の予備モードを予備モード＿ｒとする。なお、様々な予備モードに対する係数の具体例については後述する。
【００６６】
また、当該予備モードで表示される映像を予備表示、より具体的には予備表示＿ｘと称する。ｘは任意の文字列である。さらに、予備表示で使用される映像データを予備映像データ，予備映像データ＿ｘ，予備映像データ（Ｒ），予備映像データ（Ｇ），予備映像データ（Ｂ），予備映像データ＿ｘ（Ｒ），予備映像データ＿ｘ（Ｇ），予備映像データ＿ｘ（Ｂ），等と称することもある。
【００６７】
演算手段１７０にて演算処理を施された映像データＲＤ，ＧＤ，ＢＤは、図１の例では、変調駆動手段８０へ供給される。ただし、出力データＲＤ，ＧＤ，ＢＤは、所定の各種処理が更に施された後に、変調駆動手段８０へ供給されてもよい。
【００６８】
なお、演算手段１７０、演算係数格納手段１６０および選択手段１８０の各種処理はハードウェア、ソフトウェアまたはそれらの組み合わせによって具現可能である。
【００６９】
ここで、表示装置１では、選択指示信号６３の内容は、ユーザによる操作手段１００を介した指示に従って設定される。より具体的には図４のフローチャートに例示するように、制御手段６０が、ユーザからの指示を取得し（ステップＳＴ１１）、当該ユーザ指示の判別結果に応じた内容の選択指示信号６３を出力する（ステップＳＴ１２）。そして、選択手段１８０は、選択指示信号６３の内容に従って、演算係数格納手段１６０より演算係数を選択し（ステップＳＴ１３）、選択した演算係数を乗算器１７１Ｒ，１７１Ｇ，１７１Ｂ，１７３Ｒ，１７３Ｇ，１７３Ｂ，１７５Ｒ，１７５Ｇ，１７５Ｂに設定する（ステップＳＴ１４）。
【００７０】
＜表示装置１の動作＞
図１〜図４に加え、図５〜図１１を参照して表示装置１の動作を例示する。なお、図５、図６および図９に表示装置１の動作内容を例示し、図７、図８および図１０には表示装置１による表示映像を例示する。
【００７１】
まず、通常表示時における表示装置１の動作を説明する。通常表示はユーザが操作手段１００を介して通常表示を要求することにより実行される。かかるユーザ指示は制御手段６０へ入力され、制御手段６０は次の制御処理を行う。ただし、初期状態等においてユーザからの通常表示要求がない場合に、自動的に通常表示と設定しても構わない。
【００７２】
制御手段６０は、通常表示の指示を受信すると、データ供給手段９０の選択手段１８０に対して、通常映像データＤ１すなわち映像データＲＰ，ＧＰ，ＢＰを出力するための演算係数（式２参照）を、演算手段１７０へ出力させる旨の指示信号６３を発信する（図３参照）。
【００７３】
より具体的には、選択手段１８０は制御手段６０からの制御信号６３により、演算係数格納手段１６０から通常表示映像データの演算に関する演算係数を選択し、演算手段１７０に供給する。これにより、式（２）に示される通りに通常映像データＲＰ，ＧＰ，ＢＰが映像データＲＤ，ＧＤ，ＢＤとして変調駆動手段８０へ供給される。通常映像データＤ１は１フレーム単位で垂直同期信号Ｖｓｙｎｃに同期して供給される（図５参照）。
【００７４】
なお、フレームを区別する場合は、ｎを自然数として、第ｎフレームの映像データＲＰ，ＧＰ，ＢＰをＲＰ（ｎ），ＧＰ（ｎ），ＢＰ（ｎ）のように表現することにする。
【００７５】
また、制御手段６０は、駆動タイミングの設定に関する制御信号６１Ｒ，６１Ｇ，６１Ｂ，６２を、定電流回路７１Ｒ，７１Ｇ，７１Ｂおよび変調駆動手段８０へ発信する。ここでの制御信号６１Ｒ，６１Ｇ，６１Ｂ，６２は、１フレーム期間を３分割するタイミングで動作させる旨を内容とする。
【００７６】
これにより、定電流回路７１Ｒ，７１Ｇ，７１Ｂは、制御信号６１Ｒ，６１Ｇ，６１Ｂによる駆動タイミング設定と、垂直同期信号Ｖｓｙｎｃとに基づいて、ＬＥＤ１０Ｒ，１０Ｇ，１０Ｂを１フレーム期間を３分割したタイミングで順に切り替えて点灯させる（図５参照）。つまり、ＬＥＤ１０Ｒ，１０Ｇ，１０Ｂは時分割方式で駆動される。
【００７７】
また、変調駆動手段８０は、制御信号６２による駆動タイミング設定と、垂直同期信号Ｖｓｙｎｃとに基づいて、供給された映像データＲＰ，ＧＰ，ＢＰを１フレーム期間を３分割したタイミングで順に切り替えて、変調素子３０の駆動に利用する（図５参照）。つまり、変調素子３０は時分割方式で駆動される。
【００７８】
ここで、ＬＥＤ１０Ｒ，１０Ｇ，１０Ｂの点灯順序および映像データＲＰ，ＧＰ，ＢＰの利用順序は、図５の例に限定されるものではない。ただし、点灯させるＬＥＤの発光色に対応した映像データによって変調駆動が行われるように制御される。すなわち、Ｒ−ＬＥＤ１０Ｒが点灯する期間は赤色に関する映像データＲＤによって変調駆動が行われ、Ｇ−ＬＥＤ１０Ｇが点灯する期間は緑色に関する映像データＧＤによって変調駆動が行われ、Ｂ−ＬＥＤ１０Ｂが点灯する期間は青色に関する映像データＢＤによって変調駆動が行われる。
【００７９】
これらの結果、映像データＲＰによって変調された赤色の変調光３１Ｒ（図１参照）と、映像データＧＰによって変調された緑色の変調光３１Ｇ（図１参照）と、映像データＢＰによって変調された青色の変調光３１Ｂ（図１参照）とが時分割で投写レンズ４０から出力される。これら各色の映像はスクリーン５０の同じ領域上に時分割で映し出される。なお、ユーザにはこれらが合成されてカラー映像として見える。
【００８０】
ここで、例えばＲ定電流回路７１Ｒの故障により、Ｒ−ＬＥＤ１０Ｒが正常に稼動しない状況を想定する。このような状況で通常表示動作を行った場合、図６に示すように、Ｒ−ＬＥＤ１０Ｒによる映像は投写されない。なお、例えばＲ−ＬＥＤ１０Ｒ自体が故障している場合も同様である。
【００８１】
したがって、例えば図７に示す赤色単色によるグラデーション映像は、図８に示すように全面真っ黒な映像として表示されてしまう。すなわち、通常映像データＤ１によって提供される情報（ここでは赤色のグラデーション映像という情報）が全く欠落してしまう。なお、図７および図８中に記載の数値は映像データＲＤ，ＧＤ，ＢＤの例、すなわち表示映像における赤色、緑色および青色の階調レベルの例である。
【００８２】
しかし、かかる場合には予備表示を利用すればよい。予備表示はユーザが操作手段１００を介して予備表示を要求することにより実行される。かかるユーザ指示は、複数の光源のうちの少なくとも１つが点灯不能である場合に制御手段６０へ入力され、制御手段６０は次の制御処理を行う。
【００８３】
制御手段６０は、予備表示の指示、より具体的には予備表示＿ｒの指示を受信すると、データ供給手段９０の選択手段１８０に対して、予備映像モード＿ｒを選択させる旨の指示信号６３を発信する（図３参照）。これにより、選択手段１８０は演算係数格納手段１６０から予備映像モード＿ｒに対応する演算係数を選択し、演算手段１７０へ供給する。その結果、予備映像データ＿ｒに変換された映像データＲＤ，ＧＤ，ＢＤとして変調駆動手段８０へ供給される。
【００８４】
より具体的には、例えば予備映像モード＿ｒの演算係数は次式（３）のように与えられる。
【００８５】
【数３】
2014219578.tif 000005
【００８６】
なお式（３）はあくまで一例を示したものである。また、α２３，α３２の値が０であることを特徴とする。ただし、式（３）に例示の数値はこれに限定されるものではない。
【００８７】
すなわち、点灯可能な光源（Ｇ）に対応する予備映像データ（ＧＤ）における、点灯可能な他の光源（Ｂ）に対応する映像データ（ＢＰ）の演算係数（α２３）として、点灯可能な他の光源（Ｂ）に対応する予備映像データ（ＢＤ）における、点灯可能な他の光源（Ｂ）に対応する映像データ（ＢＰ）の演算係数（α３３）よりも小さい値の演算係数が、演算係数格納手段１６０から抽出されていればよい。
【００８８】
逆に、点灯可能な光源（Ｂ）に対応する予備映像データ（ＢＤ）における、点灯可能な他の光源（Ｇ）に対応する映像データ（ＧＰ）の演算係数（α３２）として、点灯可能な他の光源（Ｇ）に対応する予備映像データ（ＧＤ）における、点灯可能な他の光源（Ｇ）に対応する映像データ（ＧＰ）の演算係数（α２２）よりも小さい値の演算係数が、演算係数格納手段１６０から抽出されていればよい。
【００８９】
式（３）を式（１）に代入すると、下記式（４）〜（６）となる。
【００９０】
【数４】
2014219578.tif 000006
【００９１】
【数５】
2014219578.tif 000007
【００９２】
【数６】
2014219578.tif 000008
【００９３】
ここで、式（４），（５），（６）はそれぞれ、予備映像データ＿ｒ（Ｒ），予備映像データ＿ｒ（Ｇ），予備映像データ＿ｒ（Ｂ）を表している。これらの予備映像データ（ＲＤ、ＧＤ、ＢＤ）は、複数の映像データ（ＲＰ、ＧＰ、ＢＰ）それぞれに、対応する演算係数を乗算し、さらにその総和をとった値である。
【００９４】
予備映像データは１フレーム単位で垂直同期信号Ｖｓｙｎｃに同期して供給される（図９参照）。
【００９５】
なお、フレームを区別する場合は、ｎを自然数として、第ｎフレームの映像データをＲＤ（ｎ），ＧＤ（ｎ），ＢＤ（ｎ）のように表現することにする。
【００９６】
また、制御手段６０は、定電流回路７１Ｒ，７１Ｇ，７１Ｂおよび変調駆動手段８０の駆動タイミングを、通常表示時と同様に設定する。
【００９７】
なお、第１実施形態に関する駆動タイミングの設定内容は通常表示と予備表示とで同じであるため、例えば表示装置１の電源投入時に当該設定を行い、通常表示と予備表示との切り替え時における設定動作を省略することも可能である。
【００９８】
ここで、変調駆動手段８０の動作自体は通常表示時と予備表示時とで同じである。しかし、上記のように変調駆動手段８０へ供給される映像データＲＤ，ＧＤ，ＢＤの種類が異なる。すなわち、通常表示時の供給データＲＤ，ＧＤ，ＢＤは表示色に関するデータＲＰ，ＧＰ，ＤＰにそれぞれ対応する（図５参照）。これに対し、予備表示時の供給データＲＤ，ＧＤ，ＢＤは式（４）〜（６）に示される演算処理を施された予備映像信号である（図９参照）。
【００９９】
したがって、予備表示＿ｒでは、変調駆動手段８０は１フレーム期間中、当該期間を３分割したタイミングのそれぞれにおいて、式（４）〜（６）にて演算処理が行われた予備映像データ＿ｒ（Ｒ），予備映像データ＿ｒ（Ｇ），予備映像データ＿ｒ（Ｂ）によって変調素子３０を駆動する（図９参照）。
【０１００】
ただし、Ｒ−ＬＥＤ１０Ｒが点灯不能であるため、Ｒ−ＬＥＤ１０Ｒの投写期間中は、変調素子３０が変調動作を行っても、映像は投写されない。
【０１０１】
そのため、式（３）において赤色の予備映像データＲＤを求める演算に使用する係数α１１，α１２，α１３を０と設定しているが、任意の適当な数値であっても結果は同じであるため、必ずしも０と設定する必要はない。
【０１０２】
これらの結果、式（５）で求められる予備映像データＧＤによって変調された緑色の変調光３１Ｇ（図１参照）と、式（６）で求められる予備映像データＢＤによって変調された青色の変調光３１Ｂ（図１参照）とが時分割で投写レンズ４０から出力される。これにより、緑色の映像と青色の映像とがスクリーン５０上に時分割で映し出される。
【０１０３】
この場合、例えば図７に示す赤色単色によるグラデーション映像は、図１０に示すように水色のグラデーション映像として表示される。なお、図１０中に記載の数値は映像データＲＤ，ＧＤ，ＢＤの例、すなわち表示映像における赤色、緑色および青色の階調レベルの例である。
【０１０４】
つまり、予備表示によれば、赤色という色の情報は欠落してしまうが、グラデーションという情報は表示することができる。したがって、通常映像データＤ１によって提供される情報（ここでは赤色のグラデーション映像という情報）が完全に欠落してしまうのを回避することができる。ここで例示した赤色のグラデーション映像においては赤色という情報よりもグラデーションという情報の方が重要度が高いと考えられるため、重要な情報の欠落を回避できる点において有用である。
【０１０５】
さらに、予備表示＿ｒによれば、点灯不能となったＲ−ＬＥＤ１０Ｒ以外の表示色であるＧ−ＬＥＤ１０Ｇに対応する予備映像データ＿ｒ（Ｇ）の演算式（式（５）参照）には、さらにそれ以外の表示可能な表示色である、青色映像成分である入力映像データＢＰの成分が含まれていない。したがって、通常映像データＤ１に含まれる緑色映像成分のみによる情報表示に関し、青色映像成分が混ざることなく再現することが可能となる。
【０１０６】
同様に、Ｂ−ＬＥＤ１０Ｂに対応する予備映像データ＿ｒ（Ｂ）の演算式（式（６）参照）には、さらにそれ以外の表示可能な表示色である、緑色映像成分である入力映像データＧＰの成分が含まれていない。したがって、通常映像データＤ１に含まれる青色映像成分のみによる情報表示に関し、緑色映像成分が混ざることなく再現することが可能となる。
【０１０７】
なお、同様の手法により、Ｇ−ＬＥＤ１０ＧまたはＢ−ＬＥＤ１０Ｂが点灯不能の場合にも、点灯不能となった色成分以外の映像色に関する色合いを損ねることなく、通常映像データＤ１によって提供される情報の完全欠落を回避することができる。この場合の演算係数の一例を次式（７），（８）に示す。
【０１０８】
【数７】
2014219578.tif 000009
【０１０９】
【数８】
2014219578.tif 000010
【０１１０】
なお、あくまで式（７）は、予備映像モード＿ｇの演算係数の一例、式（８）は、予備映像モード＿ｂの演算係数の一例を示したものである。また、式（７）におけるα１３，α３１の値と、式（８）におけるα１２，α２１の値とが０であることを特徴とする。ただし、これらの数値に限定されるものではない。
【０１１１】
式（７）および式（８）を式（１）に代入すると、下記式（９）〜（１４）となる。
【０１１２】
【数９】
2014219578.tif 000011
【０１１３】
【数１０】
2014219578.tif 000012
【０１１４】
【数１１】
2014219578.tif 000013
【０１１５】
【数１２】
2014219578.tif 000014
【０１１６】
【数１３】
2014219578.tif 000015
【０１１７】
【数１４】
2014219578.tif 000016
【０１１８】
ここで、式（９），（１０），（１１），（１２），（１３），（１４）はそれぞれ、予備映像データ＿ｇ（Ｒ），予備映像データ＿ｇ（Ｇ），予備映像データ＿ｇ（Ｂ），予備映像データ＿ｂ（Ｒ），予備映像データ＿ｂ（Ｇ），予備映像データ＿ｂ（Ｂ）を表している。
【０１１９】
本実施形態によれば、例えばユーザがＬＥＤ１０Ｒの不点灯を検出した場合は、操作手段１００等より予備表示＿ｒを選択する指示を行うことで式（３）の演算係数を選択し、式（４）〜（６）に示される演算式により予備モード＿ｒ用の予備映像データＲＤ，ＧＤ，ＢＤを得ることができる。同様に、ＬＥＤ１０Ｇの不点灯を検出した場合は予備表示＿ｇの指示を、ＬＥＤ１０Ｂの不点灯を検出した場合は予備表示＿ｂの指示を、それぞれ選択することにより、ＬＥＤ１０Ｇの不点灯時には式（７）の演算係数を選択して式（９）〜（１１）により予備モード＿ｇ用の予備映像データを、ＬＥＤ１０Ｂの不点灯時には式（８）の演算係数を選択して式（１２）〜（１４）により予備モード＿ｂ用の予備映像データを、それぞれ得ることが可能となる。
【０１２０】
なお、いずれのＬＥＤの不点灯も検出しない場合、すなわち全ＬＥＤが正常に点灯している場合には、式（２）の演算係数を選択することで、通常映像データ、すなわち入力映像データをそのまま出力しておくことが可能である。
【０１２１】
なお、上記はあくまで光源色として３色のＬＥＤを使用した場合を例示したが、この限りではない。
【０１２２】
かかる構成例によれば制御手段６０による各種処理はソフトウェアによって具現化されるが、かかる各種処理の一部または全部をハードウェアによって実現することも可能である。
【０１２３】
＜効果＞
上記のように表示装置１によれば、通常映像データＤ１を含む複数種類の予備映像データを任意に選択することが可能である。したがって、例えば一部の光源が点灯不能になった場合、通常映像データＤ１において点灯不能の光源に割り当てられていた情報が全く表示されないという事態を、適切な予備映像データの利用によって回避することが可能になる。
【０１２４】
かかる効果は、予備映像データが通常映像データＤ１と異なることによって得られる。
【０１２５】
ここで、演算手段１７０での演算処理により予備映像データを生成する際に、点灯不能となっている色成分以外の色成分に関し、互いの予備映像データが影響し合わないように変換し、なおかつ、点灯不能となっている色成分に関する入力映像データ（情報）が予備映像データに組み込まれるようにすることが好ましい。これは次の理由による。
【０１２６】
例えば特許文献３の構成では、点灯不能となった色成分に関する映像信号の内容を、国際電気通信連合（ＩＴＵ）が定めたＩＴＵ−Ｒ  ＢＴ．６０１やＩＴＵ−Ｒ  ＢＴ．７０９の計算式を用いてＲＧＢ→Ｙ変換し、輝度情報として演算することで、残余の光源色によって表現している。
【０１２７】
しかしこの方法では、残余の光源色に関する入力映像信号成分の純度が損なわれ、表示される映像色が残余の光源色に対応する映像色であるにもかかわらず正確な色を再現できないという場合があった。
【０１２８】
本実施形態に示された手法によれば、通常表示時において各ＬＥＤ１０Ｒ，１０Ｇ，１０Ｂに割り当てられる映像データＲＰ，ＧＰ，ＢＰの全てが予備映像データＲＤ，ＧＤ，ＢＤ中に組み込まれる。なおかつ、一部のＬＥＤが点灯不能となった場合において、残余のＬＥＤを変調する予備映像信号に対し、互いの入力映像信号成分が影響し合うことを抑制し、演算係数を選択可能である。
【０１２９】
したがって、一部のＬＥＤが点灯不能になった場合でも、残余のＬＥＤによって、残余のＬＥＤに関する映像色の色合いを損ねることなく、点灯不能となった色成分の情報を表示することが可能となる。
【０１３０】
かかる効果は、本実施形態によれば、例えば、点灯可能な光源（Ｇ）に対応する予備映像データ（ＧＤ）における、点灯可能な他の光源（Ｂ）に対応する映像データ（ＢＰ）の演算係数（α２３）が、点灯可能な他の光源（Ｂ）に対応する予備映像データ（ＢＤ）における、点灯可能な他の光源（Ｂ）に対応する映像データ（ＢＰ）の演算係数（α３３）よりも小さいことによって得られる。
【０１３１】
より具体的には、式（３）における演算係数α２３，α３２と、式（７）における演算係数α１３，α３１と、式（８）におけるα１２，α２１の値が望ましくは０であることによって得られる。
【０１３２】
ところで演算手段１７０は、通常映像データ１２４から予備映像データＲＤ，ＧＤ，ＢＤへの変換を所定の演算に従って行う。このため、いわゆるルックアップテーブル（ＬＵＴ）による変換に比べて、変換制御フローを簡潔にすること、装置構成の規模を小さくすること、演算内容の変更を容易にすること等が可能である。
【０１３３】
例えば特許文献２の構成では、光源故障時に用いる画像フレームをＬＵＴを利用して生成する。この手法を用いると、場合分けが非常に多く生じ、複雑な変換制御フローが必要となる。これに対して、本実施形態に関する構成によれば、所定の演算式に則った演算処理によって予備映像データＲＤ，ＧＤ，ＢＤが生成されるため、変換制御フローが簡潔である（図４参照）。
【０１３４】
また、変換制御フローが簡潔であるため、当該フローを実行するための構成も簡潔で済む。したがって、装置構成の規模を小さくするができる。
【０１３５】
また、演算手段１７０によれば、乗算器１７１Ｒ，１７１Ｇ，１７１Ｂ，１７３Ｒ，１７３Ｇ，１７３Ｂ，１７５Ｒ，１７５Ｇ，１７５Ｂでの乗算係数の変更は容易である。つまり、演算内容の変更が容易である。これに対し、ＬＵＴ方式によれば、ＬＵＴの内容を全て変更しなければならないので、演算内容の変更は大がかりになってしまう。
【０１３６】
＜第２実施形態＞
第１実施形態では通常表示と予備表示の切り替えをユーザが行う場合を例示した。これに対し、第２実施形態では、かかる切り替えを自動化するための構成を例示する。
【０１３７】
図１１に第２実施形態に関する表示装置２のブロック図を例示する。図１１に例示の表示装置２は、第１実施形態に関する表示装置１（図１参照）に、ＬＥＤ１０Ｒ，１０Ｇ，１０Ｂの点灯状態を検出する検出手段１９０を追加した構成を有している。
【０１３８】
検出手段１９０は、例えば、ＬＥＤ１０Ｒ，１０Ｇ，１０Ｂに対してそれぞれ設けられた複数の光センサによって具現可能である。より具体的には、Ｒ−ＬＥＤ１０Ｒの出射光１１Ｒを検出可能な態様でＲ−ＬＥＤ１０Ｒ用の光センサが設けられ、同様にＬＥＤ１０Ｇ，１０Ｂ用の光センサがそれぞれ設けられる。この例によれば、出射光１１Ｒ，１１Ｇ，１１Ｂの存否または光量を検出することによって、ＬＥＤ１０Ｒ，１０Ｇ，１０Ｂの点灯状態を検出することが可能である。
【０１３９】
あるいは、検出手段１９０は、例えば、ＬＥＤ１０Ｒ，１０Ｇ，１０Ｂに対してそれぞれ設けられた複数の電流センサによって具現可能である。より具体的には、Ｒ−ＬＥＤ１０Ｒへの供給電流を検出可能な態様でＲ−ＬＥＤ１０Ｒ用の電流センサが設けられ、同様にＬＥＤ１０Ｇ，１０Ｂ用の電流センサがそれぞれ設けられる。この例によれば、ＬＥＤ１０Ｒ，１０Ｇ，１０Ｂへの供給電流の存否または電流量を検出することによって、ＬＥＤ１０Ｒ，１０Ｇ，１０Ｂの点灯状態を検出することが可能である。
【０１４０】
なお、ＬＥＤ１０Ｒ，１０Ｇ，１０Ｂに印加される電圧を検出する電圧センサ、ＬＥＤ１０Ｒ，１０Ｇ，１０Ｂへ供給される電力を検出する電力センサ等を採用することも可能である。
【０１４１】
検出手段１９０による検出結果は制御手段６０へ伝達され、制御手段６０は当該検出結果に基づいて選択手段１８０（図３参照）等を制御する。
【０１４２】
ここで、図１２にかかる制御のフローチャートを例示する。図１２の例によれば、制御手段６０は、検出手段１９０による検出結果を取得し（ステップＳＴ２１）、当該検出結果からＬＥＤ１０Ｒ，１０Ｇ，１０Ｂのそれぞれが所定のタイミングおよび期間で点灯しているか否かを判定し、これにより全てのＬＥＤ１０Ｒ，１０Ｇ，１０Ｂが正常に稼動しているか否かを判定する（ステップＳＴ２２）。制御手段６０は、ステップＳＴ２２の判定結果により、演算係数格納手段１６０より演算係数を選択し（ステップＳＴ２３）、選択した演算係数を乗算器１７１Ｒ，１７１Ｇ，１７１Ｂ，１７３Ｒ，１７３Ｇ，１７３Ｂ，１７５Ｒ，１７５Ｇ，１７５Ｂに設定する（ステップＳＴ２４）。
【０１４３】
なお、検出手段１９０の検出結果によれば、点灯可能なＬＥＤを特定できるため、制御手段６０は第１実施形態で説明した予備モード＿ｒ等のモード選択を行うことができる。
【０１４４】
より具体的には、例えばＬＥＤ１０Ｒの不点灯を検出した場合は、式（３）の演算係数を選択して式（４）〜（６）に示される演算式により予備モード＿ｒ用の予備映像データＲＤ，ＧＤ，ＢＤを得ることができる。同様に、ＬＥＤ１０Ｇの不点灯を検出した場合は、式（７）の演算係数を選択して式（９）〜（１１）により予備モード＿ｇ用の予備映像データを、ＬＥＤ１０Ｂの不点灯を検出した場合は、式（８）の演算係数を選択して式（１２）〜（１４）により予備モード＿ｂ用の予備映像データを、それぞれ得られるように構成しておけばよい。
【０１４５】
なお、いずれのＬＥＤの不点灯も検出しない場合、すなわち全ＬＥＤが正常に点灯している場合には、式（２）の演算係数を選択することで、通常映像データ、すなわち入力映像データをそのまま出力しておくことが可能である。
【０１４６】
なお上記はあくまで光源色として３色のＬＥＤを使用した場合を例示したが、この限りではない。
【０１４７】
かかる構成例によれば制御手段６０による各種処理はソフトウェアによって具現化されるが、かかる各種処理の一部または全部をハードウェアによって実現することも可能である。
【０１４８】
＜効果＞
表示装置２によれば、第１実施形態で述べた各種効果の他に、次の効果を得ることができる。すなわち、点灯不能である光源を自動的に検出することで、最適な予備表示を行うための演算係数の選択と、通常表示および予備表示の切り替えを自動的に行うことができ、高い利便性を得ることができる。
【０１４９】
上記実施形態では、各構成要素の材質、材料、実施の条件等についても記載しているが、これらは例示であって記載したものに限られるものではない。
【０１５０】
なお本発明は、その発明の範囲内において、各実施形態の自由な組み合わせ、あるいは各実施形態の任意の構成要素の変形、もしくは各実施形態において任意の構成要素の省略が可能である。
【符号の説明】
【０１５１】
１〜３  表示装置、１０Ｒ，１０Ｇ，１０Ｂ  光源（ＬＥＤ）、１１Ｒ，１１Ｇ，１１Ｂ  出射光、２０  合成手段（ダイクロイックミラー）、３０，３２  変調手段（変調素子）、３１Ｒ，３１Ｇ，３１Ｂ  変調光、４０  投写手段（投写レンズ）、５０  スクリーン、６０  制御手段、６１Ｒ，６１Ｇ，６１Ｂ，６２，６３  制御信号、７０  駆動手段、７１Ｒ，７１Ｇ，７１Ｂ  定電流回路、８０  変調駆動手段、９０  データ供給手段、１００  操作手段、１１０  入力映像信号、１２０  通常映像データ取得手段、１２１  配線、１２２  アナログ／デジタル変換器、１２３  画素変換手段、１２４  通常映像データ、１４０  データ演算手段、１６０  演算係数格納手段、１７０  演算手段、１７１Ｒ，１７１Ｇ，１７１Ｂ，１７３Ｒ，１７３Ｇ，１７３Ｂ，１７５Ｒ，１７５Ｇ，１７５Ｂ  乗算器、１７２，１７４，１７６  加算器、１８０  選択手段、１９０  検出手段、Ｄ１，ＲＰ，ＧＰ，ＢＰ  通常映像データ、ＲＤ，ＧＤ，ＢＤ  予備映像データ。
【図１】
2014219578.tif 000017
【図２】
2014219578.tif 000018
【図３】
2014219578.tif 000019
【図４】
2014219578.tif 000020
【図５】
2014219578.tif 000021
【図６】
2014219578.tif 000022
【図８】
2014219578.tif 000023
【図９】
2014219578.tif 000024
【図１１】
2014219578.tif 000025
【図１２】
2014219578.tif 000026
【図７】
2014219578.tif 000027
【図１０】
2014219578.tif 000028